(57)【特許請求の範囲】
【請求項１】
建物の外壁としてのカーテンウォールを上下方向に並べて取り付けるためのファスナーであって、梁または上下方向に隣接配置される他方のカーテンウォールに対して固定される１次部材と、取り付けるべきカーテンウォールに固定される２次部材と、建物に生じる層間変形に追随して双方のカーテンウォールの間に生じる面内方向の相対水平変位および面内相対回転を許容しつつ面外方向の変位を規制する状態で１次部材と２次部材とを連結する連結具と、１次部材と２次部材との間に介装されて自身の弾性変形により１次部材と２次部材との相対回転を許容する弾性部材からなることを特徴とするファスナー。
【請求項２】
請求項１記載のファスナーによりカーテンウォールを取り付けるための構造であって、カーテンウォールの上部または下部のいずれか一方側をスラブに対して一体に固定するとともに、他方側を梁に対して前記ファスナーを介してロッキング可能かつスウェイ可能な状態で連結してなることを特徴とするカーテンウォールの取付構造。
【請求項３】
請求項１記載のファスナーによりカーテンウォールを取り付けるための構造であって、カーテンウォールの上部または下部のいずれか一方側をスラブに対して一体に固定するとともに、他方側を他のカーテンウォールに対して前記ファスナーを介してロッキング可能かつスウェイ可能に連結してなることを特徴とするカーテンウォールの取付構造。
【発明の詳細な説明】
【０００１】
【発明の属する技術分野】
本発明は建物の外壁としてのカーテンウォールを取り付けるためのファスナー、およびそれを用いたカーテンウォールの取付構造に関する。
【０００２】
【従来の技術】
周知のように、建物の外壁をプレキャストコンクリート版や金属パネル等のカーテンウォールにより形成する場合には、地震時等に建物に生じる層間変形を考慮してそれに追随して変位可能な取付構造とする必要があり、従来一般にはカーテンウォールを建物に対して水平変位可能（スウェイ方式）もしくは相対回転可能（ロッキング方式）に連結するようにしている。スウェイ方式は層間変形に追随してカーテンウォールの面内（カーテンウォール自身に沿う鉛直面内）での水平方向への変位（つまり側方へのスライド）を許容するものであり、ロッキング方式はカーテンウォールの面内での揺動を許容するものである。
【０００３】
【発明が解決しようとする課題】
そのため、建物に対するカーテンウォールの取り付けは各方式に対応したファスナーを介して行うのであるが、従来一般に採用されているカーテンウォール取付用のファスナーは構造が複雑でコスト高であり、また取り付け作業を必ずしも容易に行えるものではなく、カーテンウォールをより簡単かつ安価に取り付けることのできる合理的な手段の開発が望まれていた。
【０００４】
【課題を解決するための手段】
請求項１の発明は、建物の外壁としてのカーテンウォールを上下方向に並べて取り付けるためのファスナーであって、梁または上下方向に隣接配置される他方のカーテンウォールに対して固定される１次部材と、取り付けるべきカーテンウォールに固定される２次部材と、建物に生じる層間変形に追随して双方のカーテンウォールの間に生じる面内方向の相対水平変位および面内相対回転を許容しつつ面外方向の変位を規制する状態で１次部材と２次部材とを連結する連結具と、１次部材と２次部材との間に介装されて自身の弾性変形により１次部材と２次部材との相対回転を許容する弾性部材からなることを特徴とする。
【０００５】
請求項２の発明は、請求項１記載のファスナーによりカーテンウォールを取り付けるための構造であって、カーテンウォールの上部または下部のいずれか一方側をスラブに対して一体に固定するとともに、他方側を梁に対して前記ファスナーを介してロッキング可能かつスウェイ可能な状態で連結してなることを特徴とする。
【０００６】
請求項３の発明は、請求項１記載のファスナーによりカーテンウォールを取り付けるための構造であって、カーテンウォールの上部または下部のいずれか一方側をスラブに対して一体に固定するとともに、他方側を他のカーテンウォールに対して前記ファスナーを介してロッキング可能かつスウェイ可能に連結してなることを特徴とする。
【０００７】
【発明の実施の形態】
図１〜図４は本発明の一実施形態を示す。本実施形態は、窓用の開口部が確保されている倒立Ｌ状のプレキャストコンクリート版からなるカーテンウォール１を対象としてそれを外壁として取り付けるに際して、図２に示すようにそのカーテンウォール１の上部をスラブ２に対して差し筋３を介して一体に固定するとともに、カーテンウォール１の下部を梁４に対してファスナー５を介してロッキング可能かつスウェイ可能に連結するようにしたものである。
【０００８】
本実施形態におけるファスナー５は、梁４に設けられたブラケット６上に固定される１次部材７と、カーテンウォール１の下部に固定される２次部材８と、それら１次部材７と２次部材８とを連結する連結具９と、それら１次部材７と２次部材８との間に介装される環状のゴムパッキング（弾性部材）１０からなる。
【０００９】
図３および図４に示すように、１次部材７は上面板１１、底面板１２、両側面板１３、内部に設けられた２枚の固定板１４からなる箱状をなし、上面板１１には横方向（カーテンウォール１の幅方向）に長い長穴１５が形成され、固定板１４には上下方向に長い長穴１６が形成されているものであり、図２に示すように底面板１２がブラケット６の上面に溶接されて固定されることでその下半分程度がスラブ２内に埋設されるようになっている。
【００１０】
２次部材８は縦材１７と横材１８からなるアングル状のもので、縦材１７には上下方向の長穴１９が形成され、横材１８には横方向の長穴２０が形成されているものであり、縦材１７をカーテンウォール１の下部に密着させた状態でそこに突設されているボルト２１を長穴１９に通してナット２２により締め付けることでカーテンウォール１の下部に固定されるようになっており、その固定位置を長穴１９の範囲内で上下方向に調節できるようになっている。
【００１１】
連結具９は横材２３と縦材２４とからなる逆Ｔ状のもので、横材２３の両端部がそれぞれ１次部材７の固定板１４の長穴１６に通されてナット２５により締め付けられ、縦材２４の先端部（上端部）が上面板１１の長穴１５に通されて上方に突出し、その先端部をゴムパッキング１０および２次部材８の横材１８の長穴２０に通してダブルナット２６により締め付けるようになっている。
【００１２】
本実施形態の構造では、カーテンウォール１の上部をスラブ２に対して一体に固定しかつカーテンウォール１の下部をファスナー５により支持することで、カーテンウォール１の面外方向への変位を拘束して確実かつ安定に取り付けることができ、また、通常はカーテンウォール１の上部を固定するために必要であるファスナーを省略することでコストダウンを図ることができる。しかも、本実施形態のファスナー５は長穴１５，２０の範囲内でカーテンウォール１の面内水平方向への変位を許容し、またゴムパッキング１０の弾性変形により１次部材７に対する２次部材８の面内相対回転を許容し得るものであるから、このファスナー５のみでカーテンウォール１をスウェイ可能かつロッキング可能に支持して層間変形を支障なく吸収できるものである。
【００１３】
すなわち、このファスナー５は従来一般のスウェイ方式のファスナーおよびロッキング方式のファスナーの双方の機能を兼用するものとなっており、しかも形状は単純であって部品点数も少ないので安価に製作できるものであり、ブラケット６に対する１次部材７の固定作業や、カーテンウォール１に対する２次部材８の固定作業はもとより、１次部材７と２次部材８との組み付け作業すなわちカーテンウォール１の建物への取り付け作業も容易に行い得るものであり、カーテンウォール１の取り付けに係わる作業の合理化を十分に図り得るものである。
【００１４】
図５〜図７は他の実施形態を示すものである。本実施形態では先の実施形態のファスナー５における１次部材７の形状を変更した他はそのファスナー５と同様のものである。すなわち本実施形態のファスナー３０では１次部材３１をチャンネル形状のものとして、その上面に形成した長穴３２に連結具としてのボルト３３を通してゴムパッキング１０を介して２次部材８を連結するようにしたものであって、先の実施形態のファスナー５と同様にカーテンウォール１をスウェイ可能かつロッキング可能に連結可能であり、しかも上記実施形態のファスナー５に比べてさらに単純化されより安価に製作できるものとなっている。なお、符号３４は必要に応じて介装されるスペーサー３４である。また本実施形態ではブラケット３５としてＨ形鋼を用いている。
【００１５】
図８〜図９はさらに他の実施形態を示すものである。本実施形態では上記のファスナー３０を用いてカーテンウォール１の下部を他のカーテンウォール１の上部に直接連結するようにしたものである。すなわち、本実施形態では、カーテンウォール１の上部をスラブ２に対して一体に固定するとともにそのカーテンウォールの上部にはファスナー３０の１次部材３１を固定しておき、またカーテンウォール手１の下部にはファスナー３０の２次部材８を固定しておき、それらをゴムパッキング１０を介してボルト３３により締結することで上下のカーテンウォール１どうしをスウェイ可能かつロッキング可能に連結するようにしたものであり、上記と同様の効果が得られる。
【００１６】
なお、以上の各実施形態はいずれもカーテンウォール１としてプレキャストコンクリート版を採用したが、本発明は金属パネルその他のカーテンウォールに対しても同様に適用できるものであるし、カーテンウォール１の形状もたとえば図１０（ａ）（ｂ）に示すように任意に変更可能である。また、上記各実施形態はカーテンウォール１の上部をスラブ２に一体に固定し、下部をファスナー５，３０によりスウェイ可能かつロッキング可能に支持するものとしたが、それとは逆に、カーテンウォール１の下部をスラブ２に一体に固定し、上部をファスナー５，３０によりスウェイ可能かつロッキング可能に支持することでも良い。勿論、ファスナーの構成はスウェイ・ロッキング兼用のものとする限りにおいて任意に変更可能であるし、ファスナーをブラケットを介することなく梁に対して直接固定することでも良い。
【００１７】
【発明の効果】
請求項１の発明のファスナーは、梁または他方のカーテンウォールに対して固定される１次部材と、取り付けるべきカーテンウォールに固定される２次部材と、それら１次部材と２次部材とをカーテンウォールの面外方向の変位を規制しつつ面内方向の相対水平変位および相対回転を許容する状態で連結する連結具と、１次部材と２次部材との間に介装される弾性部材からなるので、簡単な構成でスウェイ方式とロッキング方式のファスナーの機能を兼用し、カーテンウォールを取り付けるためのものとして最適である。
【００１８】
請求項２の発明のカーテンウォールの取付構造は、カーテンウォールの上部または下部のいずれか一方側をスラブに対して一体に固定するとともに、他方側を梁に対して上記のファスナーを介してロッキング可能かつスウェイ可能な状態で連結するので、ファスナーの所要数を削減できるとともに施工が容易であり、カーテンウォールの取付工事の合理化を図ることができる。
【００１９】
請求項３の発明のカーテンウォールの取付構造は、カーテンウォールの上部または下部のいずれか一方側をスラブに対して一体に固定するとともに、他方側を他のカーテンウォールに対して上記のファスナーを介してロッキング可能かつスウェイ可能に連結するので、請求項２の発明と同様にファスナーの所要数を削減できるとともにその施工は容易であり、カーテンウォールの取付工事の合理化を図ることができる。
【図面の簡単な説明】
【図１】  本発明の一実施形態を示す図である。
【図２】  同、詳細図である。
【図３】  同、ファスナーの詳細図である。
【図４】  同、ファスナーの組立図である。
【図５】  本発明の他の実施形態を示す図である。
【図６】  同、ファスナーの詳細図である。
【図７】  同、ファスナーの組立図である。
【図８】  本発明の他の実施形態を示す図である。
【図９】  同、詳細図である。
【図１０】  本発明の他の実施形態を示す図である。
【符号の説明】
１  カーテンウォール
２  スラブ
４  梁
５  ファスナー
７  １次部材
８  ２次部材
９  連結具
１０  ゴムパッキング（弾性部材）
３０  ファスナー
３１  １次部材
３３  ボルト（連結具）
【図１】
0003765051.tif 000002
【図２】
0003765051.tif 000003
【図３】
0003765051.tif 000004
【図４】
0003765051.tif 000005
【図５】
0003765051.tif 000006
【図６】
0003765051.tif 000007
【図７】
0003765051.tif 000008
【図８】
0003765051.tif 000009
【図９】
0003765051.tif 000010
【図１０】
0003765051.tif 000011